(57)【要約】      （修正有）【課題】磁気ボードは容易に絵や文字を描くと共に描いた絵や文字を容易に消すことができるも、磁性ペンで線を描き、磁性スタンプで絵を描くのみでは、幼児が飽きてしまうことがあり、飽きの来ない遊びが可能な磁気ボードを提供する。【解決手段】磁性粒子と分散媒体とを小室に封入したセル構造の表示画面１５を有し、前記表示画面１５に描かれた絵や線を消去する消去レバー１７を備えた磁気ボード本体と、磁性ゴムシートであって、表面に物品の絵が印刷され且つ当該印刷された物品の輪郭形状とされたマグネットシール３５とを組み合わせた磁気ボード玩具１０とする。【選択図】図４
0003180130.tif 000002
【実用新案登録請求の範囲】
【請求項１】
磁性粒子と分散媒体とを小室に封入したセル構造の表示画面を有し、前記表示画面に描かれた絵や線を消去する消去レバーを備えた磁気ボード本体と、磁性ゴムシートであって、表面に物品の絵が印刷され且つ当該印刷された物品の輪郭形状とされたマグネットシールとを組み合わせたことを特徴とする磁気ボード玩具。
【請求項２】
前記マグネットシールは、乗り物、衣服、食品、生活小物などの絵が印刷されて当該物品の輪郭形状とされていることを特徴とする請求項１に記載した磁気ボード玩具。
【請求項３】
前記マグネットシールは、一枚のシートに複数の異なる物品のマグネットシールを切抜き可能に形成したマグネットシートとされて磁気ボード本体に組み合わせられていることを特徴とする請求項１または請求項２に記載した磁気ボード玩具。
【請求項４】
複数のマグネットシールは、各マグネットシールが不連続切断線によりマグネットシートと一体とされていることを特徴とする請求項３に記載した磁気ボード玩具。
【考案の詳細な説明】
【技術分野】
【０００１】
本考案は、磁性ペンなどを用いて絵や文字を描くことのできる磁気ボードに関するものである。
【背景技術】
【０００２】
今日、２枚の基板間をセル構造とし、磁性粒子を封入したボードに対し、磁力を有する磁性ペンを用いて線絵や文字を描き、また、磁力を有する磁性スタンプを用いてスタンプ形状の模様をボードに表示することのできる磁気ボードが使用されている。
【０００３】
この磁気ボードは、お絵かきボードなどと呼ばれ、磁性ペンで絵や文字を書くことができると共に、ボードの下縁などに設けられた消去レバーを移動させて書いた文字や絵を消すことができ、ゴミなどが発生することがなく、幼児の学習用玩具として多く用いられている。
【０００４】
そして、磁気ボードでは、磁性ペンで描いた線が鮮明に表示されるように磁性粒子を特定するもの（例えば特許文献１）や、ボードに描いた絵や文字の所要部分だけを消去することができるようにするもの（例えば特許文献２）などの改良提案がなされている。
【先行技術文献】
【特許文献】
【０００５】
【特許文献１】特開平２−１９３１５８号公報
【特許文献２】特開平８−３２４１８４号公報
【考案の開示】
【考案が解決しようとする課題】
【０００６】
磁気ボードは容易に絵や文字を描くと共に描いた絵や文字を容易に消すことができるも、磁性ペンで線を描き、磁性スタンプで絵を描くのみでは、幼児が飽きてしまうことがあった。
【０００７】
本考案は、磁気ボードとマグネットシールを用いて、より面白く、飽きの来ない遊びが可能な磁気ボードを提供するものである。
【課題を解決するための手段】
【０００８】
本考案は、磁性粒子と分散媒体とを小室に封入したセル構造の表示画面を有し、表示画面に描かれた絵や線を消去する消去レバーを備えた磁気ボード本体と、磁性ゴムシートであって、表面に物品の絵が印刷され且つ当該印刷された物品の輪郭形状とされたマグネットシールとを組み合わせた磁気ボード玩具とするものである。
【０００９】
そして、マグネットシールは、乗り物、衣服、食品、生活小物などの絵が印刷されて当該物品の輪郭形状とされるものである。
【００１０】
また、一枚のシートに複数の異なる物品のマグネットシールを切抜き可能に形成したマグネットシートを磁気ボード本体と組み合わせることが好ましい。
【００１１】
更に、複数のマグネットシールは、各マグネットシールが不連続切断線によりマグネットシートと一体とされることが好ましい。
【考案の効果】
【００１２】
本考案に係る磁気ボード玩具は、絵を容易に描き且つ消去することのできる磁気ボード本体と、表面に物品の絵が印刷されたマグネットシールとを組み合わせた玩具であるから、表示画面にマグネットシールを貼り付け、このシールの絵と組み合わせて幼児が線画等を書き加えて遊ぶことができ、シールの絵と合わせて変化のある描画を表示画面に描くことにより、より楽しく飽きることの少ない遊びを続けることができる。
【００１３】
そして、マグネットシールに乗り物や衣服、食品、生活小物などの絵が印刷されていれば、現実の生活を連想した描画を行って楽しく学習して遊ぶことができる。
【００１４】
また、複数の異なる物品のマグネットシールを一枚のシートに形成すれば、一枚のシートを磁気ボード本体と組み合わせて種々の物品のシールを取り扱うことができ、取り扱いを容易としつつ種々の物品のシールを用いた多様な描画を楽しむことができる。
【００１５】
更に、不連続切断線により複数のシールを１枚のシートしておけば、各シールを使用に際してシートから容易に外して描画に用い、楽しく遊ぶことができる。
【図面の簡単な説明】
【００１６】
【図１】本考案に係る磁気ボード玩具の磁気ボード本体を示す図。
【図２】本考案に係る磁気ボード玩具のマグネットシートを示す図。
【図３】本考案に係る磁気ボード玩具のマグネットシートの他の例を示す図。
【図４】本考案に係る磁気ボード玩具の使用状態を示す図。
【図５】本考案に係る磁気ボード玩具の描画の消去状態を示す図。
【図６】本考案に係る磁気ボード玩具の他の使用状態を示す図。
【考案を実施するための形態】
【００１７】
本考案に係る磁気ボード玩具は、図１に示すように、厚肉平板形状の本体板13の中央に本体板13の表面の大部分を占める略四辺形とされた表示画面15を備え、表示画面15の外に磁性ペン21の形状に合わせた凹部としてのペン収納部23や、六角形や円形、雲形などの基本形状とした磁性スタンプ25の形状に合わせた凹部であるスタンプ収納部27を有し、表示画面15の下方に表示画面15の下辺に沿って移動可能とされる消去レバー17を有する磁気ボード本体11と、図２及び図３に示すマグネットシート31を組み合わせた磁気ボード玩具10とするものである。
【００１８】
この磁気ボード本体11の表示画面15は、フェライト粉末等の磁性粒子を粘性粒体等の分散媒体に混入した塑性分散液体を２枚の基板の間に封入するものであって、２枚の基板の間には多数の独立したセルが形成され、各セルに略均等に磁性粒子が保持されているものである。
【００１９】
更に、消去レバー17は、表示画面15の下辺に沿って表示画面15の右端から左端までを移動可能とされ、表示画面15の裏面には表示画面15の上端から下端に至る長さとされた細い板状の磁性体である消去体が配置され、消去レバー17を左右に移動させると消去体が表示画面15の裏側で左右に移動し、消去体が通過した範囲で表示画面15に描かれた線画等を消去することができる。
【００２０】
また、マグネットシール35は、図２や図３に示したように、衣服、食品、生活用品などが印刷された複数のシール35を１枚のシート31とするものや、乗り物などの複数が印刷されたシート31とするものであり、各シール35は、シート31を貫通した細線状の切込み線で印刷した物品の輪郭が切り抜かれ、切断線としての切込み線を不連続とする複数の連続部により各シール35がシート31に一体とされているものである。
【００２１】
そして、このシート31は、磁性ゴムによるシート31とし、厚さ１ｍｍ程度のゴムシート31の表面に印刷を施して物品の絵を描き、この物品の輪郭を不連続な切断線でなぞるように切込みを入れているものである。
【００２２】
従って、表示画面15への描画に使用するシール35を強く押し込むことによりシール35をシート31から外し、図４に示すように、シール35を表示画面15に載置すると、シール35はシール35の磁気により表示画面15に密着し、シール35を表示画面15に張り付けた後、磁性ペン21により線を書き加えて遊ぶことができる。
【００２３】
また、シール35を表示画面15に張り付けた後、シール35を表示画面15から外してシール35の形状に合わせたシルエットの描画を行ってシール35を磁性スタンプ25として使用することもできる。
【００２４】
そして、表示画面15からシール35を外し、消去レバー17を移動させると、図５に示すように、磁性ペン21で描いた線画やシール35を貼り付けた後のシルエット絵などを消去レバー17の作動範囲で消去することができ、消去レバー17を端から端まで移動させて表示画面15に描いた絵の全てを消去し、最初から新たな絵を描いて新規に遊びを開始することができる。
【００２５】
更に、絵を描くに際し、図６に示すように、シール35を外したシート31を用い、シール35を切り抜いた個所をテンプレートとし、物品の輪郭形状に沿って磁性ペン21を移動させ、乗り物や衣服、生活小物などの絵を描いて遊ぶこともできる。
【００２６】
本実施例に係る磁気ボード玩具10は、このように磁気ボード本体11とマグネットシール35とを組み合わせたものであるから、マグネットシール35を磁気ボード本体11の表示画面15に貼り付け、磁性ペン21を用いて線画を加えることにより、種々の情景を表示画面15に容易に描き出し、幼児等が飽きることなく楽しく遊ぶことができるものである。
【００２７】
更に、マグネットシール35を表示画面15に貼り付けて外すことにより、シルエット画を描いて線画と組み合わせた変化のある絵を容易に描くことができる。
【００２８】
そして、複数のマグネットシール35を一枚のシート31に切り抜き可能形成しておけば、複数のシール35を容易に扱って遊ぶことができると共に、シール35を抜き取ったシート31をテンプレートして線画による種々の絵を容易に描いて遊ぶこともできる。
【産業上の利用可能性】
【００２９】
本考案に係る磁気ボード玩具10は、磁気ボード本体11とマグネットシール35とを組み合わせたものであるから、磁気ボード本体11の表示画面15にマグネットシール35を貼り付け、このシール35の絵と組み合わせて線画等を書き加えて遊ぶことができ、シール35の絵と合わせて変化のある描画を表示画面15に描くことにより、一層楽しく飽きることの少ない遊びを続けるようにして学習しながら遊ぶることができる。
【符号の説明】
【００３０】
１０  磁気ボード玩具
１１  磁気ボート本体                １３  本体板
１５  表示画面                      １７  消去レバー
２１  磁性ペン                      ２３  ペン収納部
２５  磁性スタンプ                  ２７  スタンプ収納部
３１  シート                        ３５  シール
【図１】
0003180130.tif 000003
【図２】
0003180130.tif 000004
【図３】
0003180130.tif 000005
【図４】
0003180130.tif 000006
【図５】
0003180130.tif 000007
【図６】
0003180130.tif 000008